(57)【特許請求の範囲】
【請求項１】
ケーシング内に水平な方向に配設された片持ち支持の駆動軸と、該駆動軸の開放側端部に固定されたローターと、該ローターの全周にわたって周縁部の板面に対向して設置され、かつ該ローターの板面に対してその周縁に向かって間隙を小さくする傾斜面をもった整粒ステータと、上記ローターの中心部近傍に開口された原料供給口と、上記ローターの直下近傍に開口された製品排出口とを備え、前記ローターの板面と前記整粒ステータの傾斜面とによって粉粒体が滞留する間隙部を構成すると共に、前記ローターの周縁と前記整粒ステータとの最狭間隙部によって解砕整粒部を構成した粉粒体の解砕整粒装置であって、上記ケーシングを、有底円筒形状のケーシング本体と、該ケーシング本体の開口端を閉塞する前カバーとから構成し、前記前カバーの中心部に上記原料供給口を開口させると共に、前記ケーシング本体の下部周面部に上記製品排出口を開口させ、かつ、前記前カバーに、上記整粒ステータを、該整粒ステータに固定されたスタッドボルトを前記前カバーを貫通させて設け、該スタッドボルトに遊嵌し、前記整粒ステータの出没位置を決定するスペーサーを、該スペーサーの外周に螺合するナット及び前記スタッドボルトに螺合するローレットノブによって前記前カバーに固定する構成からなる出没位置調整機構によって、出没位置調整可能に配設したことを特徴とする、粉粒体の解砕整粒装置。
【請求項２】
上記出没位置調整機構を、上記前カバーの同一円周上に等間隔を開けて複数カ所に設けたことを特徴とする、請求項１に記載の粉粒体の解砕整粒装置。
【請求項３】
上記スペーサーを上記前カバーに螺挿し、該スペーサーの回動量を示す目盛り板を上記前カバーに設けたことを特徴とする、請求項１又は２に記載の粉粒体の解砕整粒装置。
【請求項４】
上記ローターの正面側周縁に切り欠き部を形成し、該切り欠き部に整粒リングを配設したことを特徴とする、請求項１乃至３のいずれかに記載の粉粒体の解砕整粒装置。
【請求項５】
上記整粒ステータを、平坦な整粒面を有するもの、突起部が形成された整粒面を有するものの２種類とし、上記整粒リングを、平坦な整粒面を有するもの、溝が形成された整粒面を有するもの、突起部が形成された整粒面を有するものの３種類とし、これらを整粒処理する粉粒体の性状に応じて、上記前カバー、上記ローターに各々配設したことを特徴とする、請求項４に記載の粉粒体の解砕整粒装置。
【請求項６】
上記駆動軸の軸受部と、上記ケーシングとの間に、エアーシール部を設けたことを特徴とする、請求項１乃至５のいずれかに記載の粉粒体の解砕整粒装置。
【請求項７】
上記ローターの正面側板面に、粉粒体を粗解砕する解砕ピンを設けたことを特徴とする、請求項１乃至６のいずれかに記載の粉粒体の解砕整粒装置。
【請求項８】
上記ローターの正面側板面に、粉粒体を解砕整粒部方向に押圧する補助ピンを設けたことを特徴とする、請求項１乃至７のいずれかに記載の粉粒体の解砕整粒装置。
【発明の詳細な説明】
【技術分野】
【０００１】
本発明は、各種装置で造粒又は成形された医薬品，食品，飼料，化学薬品，肥料，粉炭，石灰石，セラミックス材料等の種々湿潤又は乾燥材料を所定の粒度に整粒する粉粒体の解砕整粒装置に係り、詳しくは、各種装置で造粒又は成形された湿潤凝集物や乾燥塊状物等の目的粒度以上の造粒物（ダマ）を解砕して、所定の粒度範囲に整える粉粒体の解砕整粒装置に関するものである。
【背景技術】
【０００２】
今日、医薬，食品分野をはじめとする幅広い分野で粉粒体の混合，造粒，整粒操作が行なわれている。そして、製品生成過程における粒度調整作業は、粉粒体の品質向上、流動乾燥時における流動化の向上、ハンドリング改善などのために重要な単位操作の一つとなっている。
【０００３】
ここで、従来から使用されていた粉粒体の解砕整粒装置では、粒度のコントロールをスクリーンによって行なっていたため、継続使用によってスクリーンが摩耗したり破損して、製品粉粒体中にスクリーンの摩耗粉や破損片が混入してしまう憂いがあり、また、湿潤材料の場合には、被処理物の物性によっては付着によるスクリーンの目詰まりが生じ、スクリーンの内部で被処理物を練ってしまうことが生じていた。また、造粒刃の衝撃力により適正粒度を有した粒子をも解砕してしまい、微粉を多量に発生して収率が悪くなってしまうと言う不都合も生じていた。
【０００４】
そこで、本件出願人は、先にスクリーンを使用しない粉粒体の解砕整粒装置を開発し、特許出願を行なった（特許文献１〜特許文献３）。
この粉粒体の解砕整粒装置は、材料投入口から供給された湿潤又は乾燥材料を所定の滞留域を経て整粒する粉粒体の解砕整粒装置であって、該装置を構成するケーシング内に、回転体と該回転体に所定間隔を存して対向離間する対向面部とを設けて間隙領域を形成し、該間隙領域を、前記所定の間隙設定に適合した粒子の通過は許容するが、不適合な粒子の通過は不能とする粒度調整領域に構成し、前記間隙領域を通過不能な粒子は、前記間隙領域の入口部又は面域部で、前記回転体の回動に連携して前記対向面部に接触せしめて間隙領域を通過可能に解砕し、排出口より排出するように構成したものである。
ここで、上記間隙領域には、上記回転体と上記対向面部とを最狭間隙部として設定した面域部又は線域部が設けられ、上記最狭間隙部又はその近傍域で粒子の解砕を行なうように構成されている。
【０００５】
具体的には、特許文献１及び特許文献２に記載された粉粒体の解砕整粒装置は、垂直方向に配設された駆動軸に固定された回転体を略円錐形状に、ケーシングを略中空円錐形状に各々形成し、ケーシングの内壁面と回転体の周面とによって上記粉粒体の滞留域を構成し、回転体の下端周縁とケーシング内壁とによって上記最狭間隙部を構成した構成のものである。
【０００６】
また、特許文献３に記載された粉粒体の解砕整粒装置は、ケーシング内に水平方向に駆動軸を配設し、該駆動軸に間隙をもって固定された複数枚の円板（回転体）と、それらの円板の下方においてその周縁部の板面に対抗して配置され、かつ該円板の板面に対してその周縁に向かって間隙を小さくする傾斜面をもった整粒ステータとを備え、前記円板の板面と前記整粒ステータの傾斜面とによって粉粒体が滞留する間隙部を構成すると共に、前記円板の周縁と前記整粒ステータとの最狭間隙部によって解砕整粒部を構成したものである。
【０００７】
【特許文献１】特開２０００−１１７１３１公報
【特許文献２】特開２００５−１３１６０９公報
【特許文献３】ＷＯ  ２００４／０８５０６９  Ａ１公報
【発明の開示】
【発明が解決しようとする課題】
【０００８】
しかしながら、先ず上記特許文献１及び特許文献２に記載された粉粒体の解砕整粒装置では、駆動軸が垂直方向に配設されているため、該駆動軸によって回転する回転体が粉粒体に与える遠心力の方向は、重力とは直交する水平方向であり、粉粒体は、投入されてから解砕整粒処理されて排出される間に、回転体、ケーシング内壁面等から種々の方向の力を受けることとなり、複雑な動きを強いられ、装置内にスムースな粉粒体の流れが形成されない。そのため、例えば乾燥した粉粒体の解砕整粒処理にあたっては、装置内における粉粒体の滞留時間が長くなくなり、微粉の発生が多くなる傾向があった。また、湿った粉粒体の解砕整粒処理にあたっては、スムースな流れが形成されないことから、装置内壁面への付着が多くなる欠点があった。
【０００９】
また、上記特許文献３に記載された粉粒体の解砕整粒装置では、円板の下方のみに整粒ステータが配設されているため、円板の上方においては解砕整粒作用は行われず、効率が悪いものであった。また、処理する粉粒体は円板の上方から供給されるため、円板の遠心力により跳ね返され、入り難いものであった。さらに、水平方向に配設された駆動軸は、両端支持構造であるため、装置が大型化すると共に、支持部のオイル等がケーシング内、即ち粉粒体の処理室内に入り込む憂いがあり、医薬品，食品等の不純物の混入を嫌う粉粒体の処理には不向きであった。
【００１０】
更に、上記特許文献に記載された粉粒体の解砕整粒装置では、いずれも整粒部における間隙、即ち粒度の調整は、使用者が製品の粒度を見ながら数種の厚さの異なるリング部材或いは整粒ステータから適宜の厚さのものを選択し、このリング部材或いは整粒ステータを交換することによって行っていたため、その調整には時間を要し、またリング部材或いは整粒ステータの交換には、熟練と体力を要するばかりでなく、そもそも厚さの異なるリング部材、整粒ステータを数種類用意する必要があることから、それらの管理が煩雑なものとなっていた。
【００１１】
本発明は、上述した背景技術が有する課題に鑑み成されたものであって、その目的は、装置内に投入された粉粒体の流れ易さを改善し、装置内壁への付着、過解砕を防止すると共に、処理量を増大できる粉粒体の解砕整粒装置を提供するにある。
また、本発明の目的は、不純物が混入し難い解砕整粒処理が可能であり、また粒度調整も容易な粉粒体の解砕整粒装置を提供するにある。
【課題を解決するための手段】
【００１２】
上記した目的を達成するため、請求項１の粉粒体の解砕整粒装置では、ケーシング内に水平な方向に配設された片持ち支持の駆動軸と、該駆動軸の開放側端部に固定されたローターと、該ローターの全周にわたって周縁部の板面に対向して設置され、かつ該ローターの板面に対してその周縁に向かって間隙を小さくする傾斜面をもった整粒ステータと、上記ローターの中心部近傍に開口された原料供給口と、上記ローターの直下近傍に開口された製品排出口とを備え、前記ローターの板面と前記整粒ステータの傾斜面とによって粉粒体が滞留する間隙部を構成すると共に、前記ローターの周縁と前記整粒ステータとの最狭間隙部によって解砕整粒部を構成した粉粒体の解砕整粒装置であって、上記ケーシングを、有底円筒形状のケーシング本体と、該ケーシング本体の開口端を閉塞する前カバーとから構成し、前記前カバーの中心部に上記原料供給口を開口させると共に、前記ケーシング本体の下部周面部に上記製品排出口を開口させ、かつ、前記前カバーに、上記整粒ステータを、該整粒ステータに固定されたスタッドボルトを前記前カバーを貫通させて設け、該スタッドボルトに遊嵌し、前記整粒ステータの出没位置を決定するスペーサーを、該スペーサーの外周に螺合するナット及び前記スタッドボルトに螺合するローレットノブによって前記前カバーに固定する構成からなる出没位置調整機構によって、出没位置調整可能に配設したことを特徴とする。
【００１３】
また、請求項２の粉粒体の解砕整粒装置では、上記請求項１の発明において、上記出没位置調整機構を、上記前カバーの同一円周上に等間隔を開けて複数カ所に設けたことを特徴とする。
【００１４】
さらに、請求項３の粉粒体の解砕整粒装置では、上記請求項１又は２の発明において、上記スペーサーを上記前カバーに螺挿し、該スペーサーの回動量を示す目盛り板を上記前カバーに設けたことを特徴とする。
【００１５】
また、請求項４の粉粒体の解砕整粒装置では、上記請求項１乃至３のいずれかの発明において、上記ローターの正面側周縁に切り欠き部を形成し、該切り欠き部に整粒リングを配設したことを特徴とする。
【００１６】
また、請求項５の粉粒体の解砕整粒装置では、上記請求項４の発明において、上記整粒ステータを、平坦な整粒面を有するもの、突起部が形成された整粒面を有するものの２種類とし、上記整粒リングを、平坦な整粒面を有するもの、溝が形成された整粒面を有するもの、突起部が形成された整粒面を有するものの３種類とし、これらを整粒処理する粉粒体の性状に応じて、上記前カバー、上記ローターに各々配設したことを特徴とする。
【００１７】
さらに、請求項６の粉粒体の解砕整粒装置では、上記請求項１乃至５のいずれかの発明において、上記駆動軸の軸受部と、上記ケーシングとの間に、エアーシール部を設けたことを特徴とする。
【００１８】
また、請求項７の粉粒体の解砕整粒装置では、上記請求項１乃至６のいずれかの発明において、上記ローターの正面側板面に、粉粒体を粗解砕する解砕ピンを設けたことを特徴とする。
【００１９】
また、請求項８の粉粒体の解砕整粒装置では、上記請求項１乃至７のいずれかの発明において、上記ローターの正面側板面に、粉粒体を解砕整粒部方向に押圧する補助ピンを設けたことを特徴とする。
【発明の効果】
【００２０】
上記した請求項１の粉粒体の解砕整粒装置によれば、ローターの全周に解砕整粒部が形成され、効率的に粉粒体の解砕整粒を行うことができる。また、処理する粉粒体は、ローターの中心付近に投入され、ローターの遠心力により中心から外周方向に流れ、そこで解砕整粒作用を受け、そのまま外周方向に排出されることとなるため、装置内における粉粒体の流れがスムースとなり、処理物の装置内壁への付着、過解砕を防止できると共に、処理量を増大させることができる。
【００２１】
また、上記した請求項１の粉粒体の解砕整粒装置によれば、コンパクトにケーシングを構成できると共に、ケーシング内の清掃、点検等が容易となり、また処理物の流れも更にスムースなものとなる。
【００２２】
さらに、上記した請求項１の粉粒体の解砕整粒装置によれば、整粒ステータの出没位置を調整することにより、ローターの周縁部との間隙、即ち解砕整粒部の間隙を調整することができ、処理物の粒度調整を容易に行うことができる。
【００２３】
また、上記した請求項４の粉粒体の解砕整粒装置によれば、整粒リングの厚さを変えることによっても、解砕整粒部の間隙を調整することができ、また、処理する粉粒体の性状に応じて、整粒リングの形状を変えること等により、粉粒体に応じた適切な解砕整粒を行うことが可能となる。
【００２４】
また、上記した請求項５の粉粒体の解砕整粒装置によれば、解砕整粒部を構成する整粒ステータ、整粒リングとして、具体的に整粒面が平坦、溝、突起部を有するものを用意したため、これらの組み合わせにより、種々の性状の粉粒体に、適切に対応することが可能となる。また、形状の異なる整粒ステータと整粒リングを各々１枚用意しておけばよいので、それらの管理が容易なものとなる。
【００２５】
また、上記した請求項６の粉粒体の解砕整粒装置によれば、ケーシング内、即ち粉粒体の処理室内に軸受部のオイル等が侵入しないため、医薬品、食品等の不純物の混入を嫌う処理物の解砕整粒にも、好適に用いることができる。
【００２６】
また、上記した請求項７の粉粒体の解砕整粒装置によれば、粉粒体がローターの板面と整粒ステータの傾斜面との間などに滞留した場合においても、ローターの板面に設けた解砕ピンが該粉粒体を粗解砕し、最狭間隙部等における解砕整粒作用を補助することができる。
【００２７】
また、上記した請求項８の粉粒体の解砕整粒装置によれば、ローターの板面に設けた補助ピンが、粉粒体を解砕整粒部に押し出す作用を果たすため、粉粒体が溜まり難いものとなり、処理量を更に増大させることができる。
【発明を実施するための最良の形態】
【００２８】
以下、上記した本発明に係る粉粒体の解砕整粒装置を、図面に示した実施の形態に基づいて詳細に説明する。
ここで、図１は本発明に係る粉粒体の解砕整粒装置の一実施の形態を示した縦断面側面図、図２は正面図、図３は平面図である。また、図４は本発明に係る粉粒体の解砕整粒装置において用いるローターの一実施の形態を示した正面図、図５及び図６は本発明に係る粉粒体の解砕整粒装置の要部を拡大して示した断面図である。また、図７及び図８はローターに装着する整粒リングの他の実施の形態を示した図である。また、図９は前カバーに装着する整粒ステータの他の実施の形態を示した図である。
【００２９】
図面に示した本発明に係る粉粒体の解砕整粒装置１は、ケーシング２が、有底円筒形状のケーシング本体３と、該ケーシング本体３の開口端を閉塞する前カバー４とから構成され、前記前カバー４は、図２及び図３に示したように、一側部においてヒンジ５を介してケーシング本体３に取り付けられ、他側部に設けられたハンドル６の回動操作により、水平方向に開閉し得るように構成されている。また、ケーシング本体３の上部には、図２に示したように、電磁ロックセーフティドアスイッチ７が設けられ、該ドアスイッチ７を操作するキー８が、前カバー４の対向する位置に設けられ、前カバー４が開放した状態では、解砕整粒装置１が作動しないように構成されている。
【００３０】
上記ケーシング２内には、駆動軸９が水平方向に配置され、該駆動軸９の一端は、図１に示したように、ケーシング本体３の底壁３ａを貫通して外部まで延設され、２つのシールボックス１０ａ，１０ｂを経て軸受１１によって支持され、チェーンカップリング１２を介してモーター１３に連繋されている。前記シールボックス１０ａ，１０ｂには、それぞれエアー供給口１４ａ，余剰エアー排出口１４ｂが設けられ、一部のエアーがケーシング２内に排出されることにより、軸受１１側に処理物が侵入せず、またケーシング２側に軸受１１のオイル等が侵入しないエアーシール部１５が構成されている。
【００３１】
ケーシング２内に配設された上記駆動軸９の開放側端部には、ローター（円板）１６が固定され、駆動軸９の先端には、Ｕ字形状の解砕棒１７が取付けられている。ローター１６の正面側周縁には、切り欠き部１６ａが形成され、該切り欠き部１６ａには、整粒リング１８が取付けられている。また、ローター１６の正面側板面には、図１及び図４等に示したように、周方向に６０度等間隔をあけて長短２本ずつの解砕ピン１９が取付けられ、また、前記整粒リング１８と解砕ピン１９の間に位置する円周上には、６個の補助ピン２０が等間隔を開けて取付けられている。ローター１６の裏面側には、放射方向に４枚の裏羽根２１が取付けられている。また、ローター１６の直下に位置するケーシング本体３の下部周面部には、製品排出口２２が設けられ、排出シュート２３が接続されている。
【００３２】
上記前カバー４の中心部には、原料投入口２４が設けられ、該原料投入口２４にホッパー２５のシュート２６が接続されている。また、前カバー４は、図５に詳述したように、前記原料投入口２４から徐々に肉厚が厚くなる傾斜面４ａを有し、かつ上記ローター１６の周縁と対向する位置に、切り欠き部４ｂが形成され、該切り欠き部４ｂに、ストッパーリング２７によって位置決めされた整粒ステータ２８が、出没位置調整可能に取付けられている。整粒ステータ２８は、前記前カバー４の傾斜面４ａに連なる傾斜面２８ａと、垂直面２８ｂとを有している。
【００３３】
上記のように構成されたローター１６と前カバー４とは、図５に示したように、ローター１６の正面側板面１６ｂと、前カバー４の傾斜面４ａ及び整粒ステータ２８の傾斜面２８ａとによって、ローター１６の周縁に向かって間隙が徐々に狭くなる間隙部Ａが形成され、ローター１６の最外周縁の整粒リング１８と整粒ステータ２８の垂直面２８ｂとの間、すなわち、間隙部Ａの最狭間隙部に、粉粒体の解砕整粒部Ｂが形成される。
【００３４】
上記解砕整粒部（最狭間隙部）Ｂの間隙は、処理する粉粒体の目標最大粒径または平均粒径によって任意に設定されるが、通常、処理する粉粒体の目標最大粒径の０．８〜１倍程度、または目標平均粒径の１．５〜３倍程度に設定される。この解砕整粒部（最狭間隙部）Ｂの間隙調整は、上記前カバー４に取付けられた整粒ステータ２８の出没位置を変えることにより、容易に調整することができる。すなわち、この実施の形態においては、図６に詳細に示したように、整粒ステータ２８にスタッドボルト２９が六角穴付止メネジ３０によって固定され、該スタッドボルト２９に遊嵌し、整粒ステータ２８の出没位置を決定するスペーサー３１が、該スペーサー３１の外周に螺合するナット３２及び前記スタッドボルト２９に螺合するローレットノブ３３によって、前記前カバー４に固定される構造とされ、調整にあたっては、先ず前記ナット３２及びローレットノブ３３を緩めて、スペーサー３１を動かし得る状態とし、スペーサー３１を目盛り板３４の目盛りに従って回動し、整粒ステータ２８の出没位置を調整し、その後、ナット３２及びローレットノブ３３を締め付けることにより、スペーサー３１の位置を固定することにより行う。上記のような整粒ステータ２８の出没位置調整機構３５が、図２に示したように、１２０度の間隔を開けて前カバー４の３ヵ所に設けられ、この３ヵ所の出没位置調整機構３５を操作することにより、ケーシング２の外部から、ケーシング２の内部に配設された整粒ステータ２８を動かし、解砕整粒部（最狭間隙部）Ｂの間隙調整がなされる。なお、この実施の形態においては、図６（ｂ）に示したように、目盛り板３４に１０の目盛りが付され、１目盛りスペーサー３１を左右いずれかに回動させると、０．１ｍｍ整粒ステータ２８が出没方向に前進、或いは後退するように構成されている。
【００３５】
上記解砕整粒部（最狭間隙部）Ｂを形成するローター１６の最外周縁に装着した整粒リング１８と、前カバー４に装着した整粒ステータ２８とは、図５等に示したように、一般的には平坦（フラット）な整粒面を有するもの同士が使用され、乾粉でも壊れやすい粉粒体の場合には、この平坦な整粒リング１８Ｆと平坦な整粒ステータ２８Ｆとの組み合わせが用いられる。しかし、これらの整粒リング１８と、整粒ステータ２８との整粒面に、溝（グルーブ），突起部（スパイク）等を有するものを適宜組み合わせて使用した場合には、解砕整粒機能を変化させることができ、また、粉粒体を排出側へスムーズに押しやる機能、或いは逆に粉粒体を間隙部Ａに滞留させる機能等を果たさせることができ、処理する粉粒体の性状に応じて、適切な解砕整粒処理を行うことが可能となる。
【００３６】
例えば、ローター１６に装着する整粒リング１８として、図７に示したように、その板面に、回転方向に所定の角度傾斜させた溝３６を、円周方向に所定間隔を開けて形成した整粒リング１８Ｇを用い、該整粒リング１８Ｇに対向させる整粒ステータ２８として、一般的な平坦な整粒ステータ２８Ｆを用いた場合には、処理物を排出しやすい方向に溝３６が切ってあることから、付着しやすい処理物の整粒、或いは押出造粒品である細長い略円柱状の処理物を、一定の長さに切断して整粒する場合等に適したものとなる。
【００３７】
また、例えば図８に示したように、ローター１６に装着する整粒リング１８として、その板面に、スパイク状の突起部３７を、半径方向と円周方向に所定間隔を存して回転軸芯を中心に半径方向に２列形成した整粒リング１８Ｓを用い、該整粒リング１８Ｓに対向させる整粒ステータ２８として、前記整粒リング１８に形成した２列に並ぶ突起部３７間を通過する突起部３８を、図９に示したように、該整粒ステータ２８の傾斜面２８ａに連なる垂直面２８ｂに、円周方向に所定間隔を存して１列形成した整粒ステータ２８Ｓを用いたものとすれば、処理する粉粒体が、例え乾燥塊状物で全体が硬いもの、或いは硬い芯を有するものであっても、該突起部３７，３８によって効率的に解砕整粒され、該解砕整粒部Ｂに滞留することなく、外方へ排出処理されることとなる。
【００３８】
さらに、上記したスパイク状の突起部を有するもの同士を使用した場合には、最大間隙が大きなものとなり、大きな粒子が抜け出てしまう憂いがあるが、ローター１６に装着する整粒リング１８として上記した突起部３７を有する整粒リング１８Ｓを用い、該整粒リング１８Ｓに対向させる整粒ステータ２８として一般的な平坦な整粒ステータ２８Ｆを用いた場合には、この抜け易さを規制し、乾燥塊状物等の処理にあたっても、粒度分布を狭いものとする必要がある場合には、この突起部を有する整粒リング１８Ｓと平坦な整粒ステータ２８Ｆの組み合わせが適している。
【００３９】
また、上記ローター１６の正面側板面に取付けた解砕ピン１９は、例えば供給材料が乾燥粗大粒子である場合等においても、該乾燥粗大粒子を粗解砕し、間隙部Ａに滞留するのを防止する作用を果たし、該粗解砕を必要としない処理物の場合には、取り外すこともできる。また、補助ピン２０は、ローター１６の回転に伴う遠心力によって粉粒体の滞留域となる間隙部Ａに移動してきた粉粒体を、該間隙部Ａに滞留させることなく、速やかに解砕整粒部Ｂに押し出す作用を果たすものである。この補助ピン２０の形状は、平面視円形、長方形、正方形、三角形等適宜その形状を変更すると共に、その取付け角度も適宜変更して粉粒体の押出効果を確認したところ、平面視略三角形で、その三角形の一つの頂点が、ローター１６の回転方向を向くように取付けられていることが好ましいものであった。なお、この補助ピン２０は、処理する粉粒体が湿っており、練ってしまう恐れがあるようなものである場合には、該補助ピン２０を起点に付着が進む憂いがあるため、無い方がよい場合がある。
【００４０】
上記のように構成された本発明に係る粉粒体の解砕整粒装置は、次のようにして運転される。
先ず、ローター１６に装着する整粒リング１８と、前カバー４に装着する整粒ステータ２８とを、処理する粉粒体の性状に応じて、平坦なもの、溝を有するもの、突起部を有するもののいずれかの組み合わせとし、それらの整粒リング１８、整粒ステータ２８を、それぞれローター１６、前カバー４に装着する。続いて、整粒ステータ２８の出没位置調整機構３５を操作し、解砕整粒部（最狭間隙部）Ｂの間隙を処理する粉粒体の目標粒径に応じて調整する。
【００４１】
続いて、前カバー４を閉め、電磁ロックセーフティドアスイッチ７を解除し、駆動軸９を回転させるモーター１３を駆動させると共に、エアーシール部１５のエアー供給口１４ａに圧縮エアーを供給する。
【００４２】
ケーシング２内のローター１６の回転に伴う空気の流れが安定した後、ホッパー２５から、各種装置で造粒又は形成された湿潤凝集物等の粉粒体原料を供給する。供給された粉粒体原料は、シュート２６を伝って流下し、原料投入口２４からケーシング２内に流入する。そして、ケーシング２内に流入した粉粒体原料は、ローター１６の回転による遠心力を受け、ローター中心から放射方向に飛ばされ、先ず解砕ピン１９によって粗粉砕される。そして、ローター１６の正面側板面１６ｂと整粒ステータ２８の傾斜面２８ａとの間隙部Ａに達した粉粒体は、ローター１６の回転による遠心力、補助ピン２０の作用による押出力等により、間隙部Ａに滞留することなく、速やかに解砕整粒部Ｂに押し出される。
【００４３】
解砕整粒部Ｂに押し出された粉粒体は、間隙設定に適合した粒子はそのまま通過が許容されるが、不適合の粒子は、ローター１６に装着された整粒リング１８と整粒ステータ２８の垂直面２８ｂとの間で解砕され、特に、突起部３７，３８を有する整粒リング１８Ｓと整粒ステータ２８Ｓとを使用した場合には、例え処理物が乾燥塊状物で全体が硬いもの、或いは硬い芯を有するものであっても、解砕整粒部Ｂに設けられた該突起部３７，３８によって効率的に解砕整粒され、解砕整粒部Ｂに滞留することなく、ローター１６の外周方向にスムースに排出される。排出された処理物は、裏羽根２１による回転によってケーシング２内に形成される空気の流れに乗って、ケーシング２の内壁面に付着することなく、ケーシング２の下部周面部に設けられた製品排出口２２から排出シュート２３を経て、系外に排出される。
【００４４】
以上、本発明に係る粉粒体の解砕整粒装置の好適な実施の形態を説明したが、本発明は、何ら既述の実施の形態に限定されず、特許請求の範囲に記載した本発明の技術的思想の範囲内において、種々の変形及び変更が可能であることは当然である。
例えば、上記実施の形態において示した整粒ステータ２８の出没位置調整機構３５は、一例を示したに過ぎず、ケーシング２の外方から、ケーシング２内に配設された整粒ステータ２８の位置調整をできる構造であれば、本発明の技術的思想の範囲内に含まれるものである。
また、上記実施の形態において示した駆動軸９の軸受１１とケーシング２との間のエアーシール部１５の構造も、何ら上記実施の形態の構造に限定されず、現在公知の種々のエアーシール部１５の構造を採用できるものである。
さらに、図１０及び図１１に示したように、整粒機構を構成する各部材を、順次モーターマウント５０に組み付ける構造としてもよい。このような構造とすると、装置全体の自由度が増し、種々の設計変更が可能となると共に、更なる装置のコンパクト化が可能となる。なお、この図１０及び図１１おいて、５１はモーターマウント５０に立設されたガイドバー、５２はブラケット、５３はカラー、５４はケーシングホルダー、５５はスクリュー、５６はパッキン、５７はフロントカバーである。他の部材において、上記実施の形態と同一の部材については、同一符号を付してその説明は省略する。特に、この実施の形態においては、本発明の粉粒体の解砕整粒装置が小型で、図１１に示したように原料投入口２４を広く取れない場合には、上記スクリュー５５は、該原料投入口２４付近での原料の滞留防止を図る効果を奏する。
【試験例】
【００４５】
従来装置との対比試験：過粉砕防止
−試験例１−
特許文献２（特開２００５−１３１６０９）に記載された従来装置を用い、下記の原料を下記の条件で解砕整粒処理を行った。
・原    料          ：  乳糖−コーンスターチ撹拌造粒品
・ローターの直径    ：  ２３５ｍｍ        ・最狭間隙部    ：  ０．５ｍｍ
・ローターの回転数  ：  ３５００ｒｐｍ    ・整粒面の種類  ：  フラット同士
−試験例２−
図１〜図６に示した本発明に係る装置を用い、下記の原料を下記の条件で解砕整粒処理を行った。
・原    料          ：  乳糖−コーンスターチ撹拌造粒品
・ローターの直径    ：  ２３５ｍｍ        ・最狭間隙部    ：  ０．５ｍｍ
・ローターの回転数  ：  ３５００ｒｐｍ    ・整粒面の種類  ：  フラット同士
−試験例３−
特許文献２（特開２００５−１３１６０９）に記載された従来装置を用い、下記の原料を下記の条件で解砕整粒処理を行った。
・原    料          ：  乳糖−コーンスターチ撹拌造粒品
・ローターの直径    ：  ２３５ｍｍ        ・最狭間隙部    ：  ０．５ｍｍ
・ローターの回転数  ：  ３５００ｒｐｍ    ・整粒面の種類  ：  スパイク同士
−試験例４−
図１〜図６、図８、図９に示した本発明に係る装置を用い、下記の原料を下記の条件で解砕整粒処理を行った。
・原    料          ：  乳糖−コーンスターチ撹拌造粒品
・ローターの直径    ：  ２６０ｍｍ        ・最狭間隙部    ：  ０．５ｍｍ
・ローターの回転数  ：  ３５００ｒｐｍ    ・整粒面の種類  ：  スパイク同士
−試験結果−
試験結果を表１に示す。
【表１】
0004698439.tif 000002
試験例１（従来装置）では、微粉量が約５％存在するが、試験例２（本発明装置）では、約２％と微粉量が減っている上に、８５０μｍ以上の粗大粒子の割合も減らすことができ、シャープな粒度分布を得られることが確認できた。
また、同様に試験例３（従来装置）では、微粉量が５％存在したところ、試験例４（本発明装置）では、約４％と微粉量が減少し、また８５０μｍ以上の粗大粒子も減少していることから、整粒面の形状に係わらず、やはりシャープな粒度分布を得られことが確認できた。
【００４６】
従来装置との対比試験：処理能力向上
−試験例５−
特許文献２（特開２００５−１３１６０９）に記載された従来装置を用い、下記の原料を下記の条件で解砕整粒処理を行った。
・原    料          ：  漢方薬
・ローターの直径    ：  ２３５ｍｍ        ・最狭間隙部    ：  ０．９ｍｍ
・ローターの回転数  ：  ３５００ｒｐｍ    ・整粒面の種類  ：  フラット同士
−試験例６−
図１〜図６に示した本発明に係る装置を用い、下記の原料を下記の条件で解砕整粒処理を行った。
・原    料          ：  漢方薬
・ローターの直径    ：  ２３５ｍｍ        ・最狭間隙部    ：  ０．９ｍｍ
・ローターの回転数  ：  ３５００ｒｐｍ    ・整粒面の種類  ：  フラット同士
−試験結果−
試験結果を表２及び図１２に示す。
【表２】
0004698439.tif 000003
試験例５（従来装置）では、処理能力が上がるに従い急激に実負荷電流値が上昇したが、試験例６（本発明装置）では、試験例５以上の処理能力の時にもそれほど実負荷電流値が上昇しなかった。また、例えば図１２から、試験例５での処理能力５０ｋｇ／ｈでは実負荷電流値が１．５Ａ程度であるが、試験例６での５０ｋｇ／ｈは０．５Ａの実負荷電流値を切ることが推定できる。このことより、本発明の装置にすることにより、処理能力を向上できることが確認できた。
【００４７】
整粒面形状の対比試験：付着性の強い処理物に対して
−試験例７−
図１〜図６に示した本発明に係る装置を用い、下記の原料を下記の条件で解砕整粒処理を行った。
・原    料          ：  漢方薬
・ローターの直径    ：  ２３５ｍｍ        ・最狭間隙部    ：  １．０ｍｍ
・ローターの回転数  ：  ３５００ｒｐｍ    ・整粒面の種類  ：  フラット同士
−試験例８−
図１〜図７に示した本発明に係る装置を用い、下記の原料を下記の条件で解砕整粒処理を行った。
・原    料          ：  漢方薬
・ローターの直径    ：  ２３５ｍｍ        ・最狭間隙部    ：  １．０ｍｍ
・ローターの回転数  ：  ３５００ｒｐｍ    ・整粒面の種類  ：  グルーブ（整粒                                              リング）とフラット（整粒ステータ）                                              の組み合わせ
−試験結果−
試験結果を表３に示す。
【表３】
0004698439.tif 000004
試験例７では、処理が進むに従って付着の発生により負荷電流値が上昇していき、安定した試験が行えなかったが、試験例８では、同様の処理条件において３分を経過した後も電流値の変化がなく、安定した試験を行えた。このことにより、付着性の強い粉粒体の処理にあたっては、整粒面はグルーブ（整粒リング）とフラット（整粒ステータ）の組み合わせが適していることが確認できた。
【００４８】
整粒面形状の対比試験：硬い処理物に対して
−試験例９−
図１〜図６に示した本発明に係る装置を用い、下記の原料を下記の条件で解砕整粒処理を行った。
・原    料          ：  漢方薬
・ローターの直径    ：  ２３５ｍｍ        ・最狭間隙部    ：  ０．５ｍｍ
・ローターの回転数  ：  ３５００ｒｐｍ    ・整粒面の種類  ：  フラット同士
−試験例１０−
図１〜図６、図８、図９に示した本発明に係る装置を用い、下記の原料を下記の条件で解砕整粒処理を行った。
・原    料          ：  漢方薬
・ローターの直径    ：  ２６０ｍｍ        ・最狭間隙部    ：  ０．５ｍｍ
・ローターの回転数  ：  ３５００ｒｐｍ    ・整粒面の種類  ：  スパイク（整粒                                              リング）とフラット（整粒ステータ）                                              の組み合わせ
−試験結果−
試験結果を表４及び図１３に示す。
【表４】
0004698439.tif 000005
試験例９では、原料が硬い粒子であるために処理が進まず、低い処理能力で負荷電流値が上昇してしまったが、試験例１０では、同様の処理条件においても負荷電流値が低く、大量に処理ができる上、製品粒度に影響を与えていない。これより、硬い粉粒体の処理にあたっては、整粒面はスパイク（整粒リング）とフラット（整粒ステータ）の組み合わせが適していることが確認できた。
【図面の簡単な説明】
【００４９】
【図１】本発明に係る粉粒体の解砕整粒装置の一実施の形態を示した縦断面側面図である。
【図２】図１に示した粉粒体の解砕整粒装置の正面図である。
【図３】図１に示した粉粒体の解砕整粒装置の平面図である。
【図４】本発明に係る粉粒体の解砕整粒装置において用いるローターの一実施の形態を示した正面図である。
【図５】本発明に係る粉粒体の解砕整粒装置の要部を拡大して示した断面図である。
【図６】本発明に係る粉粒体の解砕整粒装置の要部を拡大して示した図であって、（ａ）は断面図、（ｂ）は（ａ）図のＸ視方向から見た図である。
【図７】ローターに装着する整粒リングの他の実施の形態を示した図であって、（ａ）は正面図、（ｂ）は（ａ）図のＡ−Ａ線に沿う部分の拡大断面図である。
【図８】ローターに装着する整粒リングの更に他の実施の形態を示した図であって、（ａ）は正面図、（ｂ）は（ａ）図のＢ−Ｂ線に沿う部分の拡大断面図である。
【図９】前カバーに装着する整粒ステータの他の実施の形態を示した図であって、（ａ）は正面図、（ｂ）は（ａ）図のＣ−Ｃ線に沿う部分の拡大断面図である。
【図１０】本発明に係る粉粒体の解砕整粒装置の他の実施の形態を示した分解側面図である。
【図１１】図１０に示した粉粒体の解砕整粒装置を組み立てた状態の縦断面側面図である。
【図１２】試験例５と試験例６における処理能力と実負荷電流値との関係を示したグラフである。
【図１３】試験例９と試験例１０における処理能力と実負荷電流値との関係を示したグラフである。
【符号の説明】
【００５０】
１      解砕整粒装置                          ２      ケーシング
３      ケーシング本体                        ４      前カバー
４ａ    傾斜面                                ４ｂ    切り欠き部
５      ヒンジ                                ６      ハンドル
７      電磁ロックセーフティドアスイッチ      ８      キー
９      駆動軸                                １０ａ  シールボックス
１０ｂ  シールボックス                        １１    軸受
１２    チェーンカップリング                  １３    モーター
１４ａ  エアー供給口                          １４ｂ  余剰エアー排出口
１５    エアーシール部                        １６    ローター（円板）
１６ａ  切り欠き部                            １６ｂ  正面側板面
１７    解砕棒                                １８    整粒リング
１８Ｆ  平坦な整粒リング                      １８Ｇ  溝を有する整粒リング
１８Ｓ  突起部を有する整粒リング              １９    解砕ピン
２０    補助ピン                              ２１    裏羽根
２２    製品排出口                            ２３    排出シュート
２４    原料投入口                            ２５    ホッパー
２６    シュート                              ２７    ストッパーリング
２８    整粒ステータ                          ２８ａ  傾斜面
２８ｂ  垂直面                                ２８Ｆ  平坦な整粒ステータ
２８Ｓ  突起部を有する整粒ステータ            ２９    スタッドボルト
３０    六角穴付止メネジ                      ３１    スペーサー
３２    ナット                                ３３    ローレットノブ
３４    目盛り板                              ３５    出没位置調整機構
３６    溝（グルーブ）                        ３７    突起部（スパイク）
３８    突起部（スパイク）
【図１】
0004698439.tif 000006
【図２】
0004698439.tif 000007
【図３】
0004698439.tif 000008
【図４】
0004698439.tif 000009
【図５】
0004698439.tif 000010
【図６】
0004698439.tif 000011
【図７】
0004698439.tif 000012
【図８】
0004698439.tif 000013
【図９】
0004698439.tif 000014
【図１０】
0004698439.tif 000015
【図１１】
0004698439.tif 000016
【図１２】
0004698439.tif 000017
【図１３】
0004698439.tif 000018